【手続補正書】
【提出日】平成21年3月19日(2009.3.19)
【手続補正１】
【補正対象書類名】特許請求の範囲
【補正対象項目名】全文
【補正方法】変更
【補正の内容】
【特許請求の範囲】
【請求項１】
試料と、ドセタキセルに反応する抗体と、一般式
【化１】
2008534927.tif 000001
（式中、Ｂは−ＣＨ２−、
【化２】
2008534927.tif 000002
又は
【化３】
2008534927.tif 000003
であって、Ｙは有機スぺーシング基、Ｘは担体に結合可能な官能基、ｐは０から１の整数である）
の化合物、
一般式
【化４】
2008534927.tif 000004
（式中、Ｂ，Ｘ，Ｙ及びｐは上述のとおり）
の化合物、
【化５】
2008534927.tif 000005
（式中、Ｂ，Ｘ，Ｙ及びｐは上述のとおり）
の化合物
及びその混合物から選択された配位子を伴う担体の共役とを含む混合物を準備することを含む試料中のドセタキセル検出のための免疫測定法であって、
試料中のドセタキセル及び前記共役を前記抗体と結合させ、その後、前記抗体に結合又は未結合の前記混合物中の前記共役量を測定し、それによって試料中のドセタキセルの存在を測定することができることを特徴とする免疫測定法。
【請求項２】
請求項１記載の免疫測定法であって、一般式ＩＩ−Ａ、ＩＩ−Ｂ及び／またはＩＩ−Ｃの化合物においてｐは０であることを特徴とする免疫測定法。
【請求項３】
請求項１記載の免疫測定法であって、一般式ＩＩ−Ａ、ＩＩ−Ｂ及び／またはＩＩ−Ｃの化合物においてｐは１であることを特徴とする免疫測定法。
【請求項４】
請求項１又は２記載の免疫測定法であって、一般式ＩＩ−Ａ、ＩＩ−Ｂ及び／またはＩＩ−Ｃの化合物において、Ｙは１から１０の炭素原子を含むアルキレン、
【化６】
2008534927.tif 000006
【化７】
2008534927.tif 000007
又は
【化８】
2008534927.tif 000008
又は
【化９】
2008534927.tif 000009
であり、式中ｎ及びＯは０から６の整数であり、ｍは１から６の整数であることを特徴とする免疫測定法。
【請求項５】
請求項１から４いずれか一項に記載の免疫測定法であって、一般式ＩＩ−Ａ、ＩＩ−Ｂ及び／またはＩＩ−Ｃの化合物において、Ｘは、
【化１０】
2008534927.tif 000010
【化１１】
2008534927.tif 000011
又は
【化１２】
2008534927.tif 000012
であり、式中Ｒ３は水素又はそれに結びつく酸素原子と一緒に得られる反応エステルであり、Ｒ４は酸素又は硫黄であることを特徴とする免疫測定法。
【請求項６】
請求項１から５いずれか一項に記載の免疫測定法であって、一般式ＩＩ−Ａ、ＩＩ−Ｂ及び／またはＩＩ−Ｃの化合物において、Ｘは、
【化１３】
2008534927.tif 000013
であり、Ｒ３は水素であることを特徴とする免疫測定法。
【請求項７】
請求項１から５いずれか一項に記載の免疫測定法であって、一般式ＩＩ−Ａ、ＩＩ−Ｂ及び／またはＩＩ−Ｃの化合物において、Ｘは、
【化１４】
2008534927.tif 000014
であり、Ｒ３は反応エステルを形成することを特徴とする免疫測定法。
【請求項８】
請求項７記載の免疫測定法であって、一般式ＩＩ−Ａ、ＩＩ−Ｂ及び／またはＩＩ−Ｃの化合物において、形成されたエステルは低級アルキルエステル、イミドエステル又はアミドエステルであることを特徴とする免疫測定法。
【請求項９】
請求項１から８いずれか一項に記載の免疫測定法であって、試料はヒトの試料であることを特徴とする免疫測定法。
【請求項１０】
請求項１から９いずれか一項に記載の免疫測定法であって、前記抗体は、一般式
【化１５】
2008534927.tif 000015
（式中、ｐ，Ｙ及びＢは請求項１から８のいずれかで規定されるとおりで、Ｘは担体に結合可能な官能基である）
の化合物、
一般式
【化１６】
2008534927.tif 000016
（式中、Ｂ，Ｘ，Ｙ及びｐは上述のとおり）
の化合物、
一般式
【化１７】
2008534927.tif 000017
（式中、Ｂ，Ｘ，Ｙ及びｐは上述のとおり）
及びその混合物を含むグループから選択された配位子に連結する免疫原担体を有する免疫原から生成されることを特徴とする免疫測定法。
【請求項１１】
請求項１０記載の免疫測定法であって、前記抗体は、一般式
【化１８】
2008534927.tif 000018
（式中、Ｂ、Ｘ、Ｙ及びｐは請求項１から８のいずれかで規定されるとおりである）
の配位子を伴う免疫原担体の免疫原から誘導されることを特徴とする免疫測定法。
【請求項１２】
請求項１０記載の免疫測定法であって、前記抗体は、一般式
【化１９】
2008534927.tif 000019
（式中、Ｂ、Ｘ、Ｙ及びｐは請求項１から８のいずれかで規定されるとおりである）
の配位子を伴う免疫原担体の免疫原から誘導されることを特徴とする免疫測定法。
【請求項１３】
請求項１０記載の免疫測定法であって、前記抗体は、免疫原ポリアミンポリマー及び一般式
【化２０】
2008534927.tif 000020
（式中、Ｂ、Ｘ、Ｙ及びｐは請求項１から８のいずれかで規定されるとおりである）
の配位子から誘導されることを特徴とする免疫測定法。
【請求項１４】
請求項１から１３いずれか一項に記載の免疫測定法であって、前記抗体は固形支持体に付着していることを特徴とする免疫測定法。
【請求項１５】
請求項１４記載の免疫測定法であって、前記固形支持体はマイクロタイタープレートであることを特徴とする免疫測定法。
【請求項１６】
請求項１４記載の免疫測定法であって、前記固形支持体は微粒子であることを特徴とする免疫測定法。
【請求項１７】
ドセタキセルに反応し、実質的にタキソールに反応しないことを特徴とする抗体。
【請求項１８】
請求項１７記載の抗体であって、前記抗体は、一般式
【化２１】
2008534927.tif 000021
（式中、Ｂ、Ｘ、Ｙ及びｐは請求項１から８のいずれかで規定されるとおりである）
の化合物、
一般式
【化２２】
2008534927.tif 000022
（式中、Ｂ，Ｘ，Ｙ及びｐは上述のとおり）
の化合物、
一般式
【化２３】
2008534927.tif 000023
（式中、Ｂ，Ｘ，Ｙ及びｐは上述のとおり）
の化合物及びその混合物を含むグループから選択された配位子に連結された免疫原担体を含む免疫原から生成されることを特徴とする抗体。
【請求項１９】
請求項１８記載の抗体であって、前記抗体は、一般式
【化２４】
2008534927.tif 000024
（式中、Ｂ、Ｘ、Ｙ及びｐは請求項１から８のいずれかで規定されるとおりである）
の配位子を伴う免疫原担体の免疫原から誘導されることを特徴とする抗体。
【請求項２０】
請求項１８記載の抗体であって、前記抗体は、一般式
【化２５】
2008534927.tif 000025
（式中、Ｂ、Ｘ、Ｙ及びｐは請求項１から８のいずれかで規定されるとおりである）
の配位子を伴うポリアミンポリマーの免疫原から誘導されることを特徴とする抗体。
【請求項２１】
請求項１８記載の抗体であって、前記抗体は、一般式
【化２６】
2008534927.tif 000026
（式中、Ｂ、Ｘ、Ｙ及びｐは請求項１から８のいずれかで規定されるとおりである）
の配位子を伴う担体の免疫原から誘導されることを特徴とする抗体。
【請求項２２】
請求項１から１６いずれか一項に記載の免疫測定法または請求項１７から２１いずれか一項に記載の抗体であって、前記抗体はマウス、ウサギ又はラットから誘導されることを特徴とする免疫測定法又は抗体。
【請求項２３】
請求項１から１６いずれか一項に記載の免疫測定法または請求項１７から２１いずれか一項に記載の抗体であって、前記抗体はモノクロナール抗体であることを特徴とする免疫測定法又は抗体。
【請求項２４】
一般式
【化２７】
2008534927.tif 000027
（式中、Ｂ、Ｘ、Ｙ及びｐは請求項１から８のいずれかで規定されるとおりである）
であることを特徴とする化合物。
【請求項２５】
一般式
【化２８】
2008534927.tif 000028
（式中、Ｂ、Ｘ、Ｙ及びｐは請求項１から８のいずれかで規定されるとおりである）
であることを特徴とする化合物。
【請求項２６】
一般式
【化２９】
2008534927.tif 000029
（式中、Ｂ、Ｘ、Ｙ及びｐは請求項１から８のいずれかで規定されるとおりである）
であることを特徴とする化合物。
【請求項２７】
請求項２４から２６いずれか一項に記載の化合物であって、前記担体はポリアミンポリマーを含むことを特徴とする化合物。
【請求項２８】
一般式
【化３０】
2008534927.tif 000030
（式中、Ｂ、Ｙ及びｐは請求項１から８のいずれかで規定されるとおりであり、

Ｘ´は−ＣＨ２−又は担体に結合可能な官能結鎖基である）
の配位子一部分に連結した担体を含むことを特徴とする共役。
【請求項２９】
一般式
【化３１】
2008534927.tif 000031
（式中、Ｂ、Ｙ及びｐは請求項１から８のいずれかで規定されるとおりであり、

Ｘ´は−ＣＨ２−又は担体に結合可能な官能結鎖基である）
の配位子一部分に連結した担体を含むことを特徴とする共役。
【請求項３０】
一般式
【化３２】
2008534927.tif 000032
（式中、Ｂ、Ｙ及びｐは請求項１から８のいずれかで規定されるとおりであり、

Ｘ´は−ＣＨ２−又は担体に結合可能な官能結鎖基である）
の配位子一部分に連結した担体を含むことを特徴とする共役。
【請求項３１】
請求項２８から３０いずれか一項に記載の共役であって、前記担体はポリアミンポリマーを含むことを特徴とする共役。
【請求項３２】
請求項２８から３１いずれか一項に記載の共役であって、Ｘ´は、
【化３３】
2008534927.tif 000033
又は
【化３４】
2008534927.tif 000034
であり、Ｒ４は酸素又は硫黄であることを特徴とする共役。
【請求項３３】
請求項２８から３２いずれか一項に記載の共役であって、前記ポリアミンポリマーは免疫原ポリマーであることを特徴とする共役。
【請求項３４】
分離した容器に詰められた試薬を含む患者試料中のドセタキセルの存在を検出するキットであって、
試薬の１つはドセタキセルに反応し、他の試薬は一般式
【化３５】
2008534927.tif 000035
（式中、Ｂ、Ｘ、Ｙ及びｐは請求項１から８のいずれかで規定されるとおりである）
の化合物、
一般式
【化３６】
2008534927.tif 000036
（式中、Ｂ，Ｘ，Ｙ及びｐは上述のとおり）
の化合物、
【化３７】
2008534927.tif 000037
（式中、Ｂ，Ｘ，Ｙ及びｐは上述のとおり）
の化合物
及びその混合物から選択された配位子を伴う担体の共役であることを特徴とするキット。